(57)【特許請求の範囲】
【請求項１】
一開口端にオス側導体の挿入口を有する嵌合筒体内にそのオス側導体挿入口より挿入されるオス側導体を挾圧保持するメス端子バネ片が前記オス側導体挿入口側より嵌合筒体内の奥行き方向に延びて折り返し状に湾曲されて設けられたものであって、該メス端子バネ片の途中部位に前記嵌合筒体の内壁面に当接されるバネ支持部を有すると共に、先端寄り部位に前記オス側導体挿入口より挿入されるオス側導体に当接されるバネ接点を備え、前記嵌合筒体の内壁面にはそのオス側導体の挿入に伴って生じるバネ接点での動摩擦力により移動される前記バネ支持部の移動部位に該バネ支持部の移動方向に漸次外方へ広がるテーパ状のバネ支持ガイド面が該嵌合筒体の筒壁を切り起こして形成されたテーパ状ガイド板面に設けられていることを特徴とする低挿入力メス側導体端子。
【請求項２】
前記嵌合筒体内には、前記オス側導体の挿入に伴うメス端子バネ片の変形復帰を助ける補助バネ片が設けられていることを特徴とする請求項１に記載の低挿入力メス側導体端子。
【請求項３】
前記補助バネ片は、前記嵌合筒体の筒壁を切り起こして形成されたものであることを特徴とする請求項２に記載の低挿入力メス側導体端子。
【発明の詳細な説明】
【０００１】
【発明の属する技術分野】
本発明は、低挿入力メス側導体端子に関し、さらに詳しくは相手側のオス端子やフラットケーブルなどのオス側導体との導体接続に際し、そのオス側導体の挿入力を低減させる接続構造を備えた低挿入力メス側導体端子に関するものである。
【０００２】
【従来の技術】
従来、この種のメス側導体端子の構造としては、例えば、図６（ａ）〜（ｃ）に示されるような構造のものが一般的に知られている。図６（ａ）に示したメス側導体端子７０は、導電性の金属材料による嵌合筒７２の一方の開口端に相手側のオス側導体であるオス端子のオスタブ７４が挿入されるオスタブ挿入口７６が設けられると共に、そのオスタブ挿入口７６の開口端縁より嵌合筒７２内に折り返し形成されたメス端子バネ片７８が設けられたもので、このメス端子バネ片７８はその途中部位が嵌合筒７２内で内向き山形状に屈曲されて先端部位に嵌合筒７２の内壁面に当接されたバネ支持部８０を有すると共に、そのメス端子バネ片７８の山形状頂部にバネ接点８２を有し、このバネ接点８２と嵌合筒７２の内壁面に内向きくびれ状に形成された対向接点８４との間に前記オスタブ７４を挾圧保持し、導体接続されるようにしたものである。
【０００３】
また図６（ｂ）に示したメス側導体端子９０は、嵌合筒９２の筒壁の一部を内側に切り起こして山形状のバネ片９４を形成し、そのバネ片９４の頂点部位に形成されるバネ接点９６と嵌合筒９２の内壁面にやはりくびれ状に形成される対向接点９８との間にオスタブ７４を挾圧保持するようにしたものである。
【０００４】
さらに図６（ｃ）に示したメス側導体端子１００は、嵌合筒１０２の内壁面にオスタブ７４の挿入口７６側から奥行方向に延びる湾曲状のバネ片１０４が設けられ、そのバネ片１０４の先端寄り部位にオスタブ７４を挾圧し導体接続するためのバネ接点１０６が形成され、このバネ片１０４の基端寄り部位に設けられる対向接点１０８とでオスタブ挿入口７６より挿入されるオスタブ７４を挾圧保持するようにしたものである。
【０００５】
一方、図７に示したメス側導体端子１１０も従来型のもので、相手側のオス端子７３のオスタブ７４が挿入されるオスタブ挿入口７６を一方の開口端に有する嵌合筒１１２の一内壁面に沿って固定側接片１１４が設けられると共に、オスタブ挿入口７６の開口端縁より嵌合筒部１１２内に折り返し形成された湾曲状のバネ片１１６が設けられたものであって、そのバネ片１１６の先端部位には嵌合筒１１２の内壁面に当接されるバネ支持部１１８を有すると共に、そのバネ片１１６の途中部位にバネ接点１２０を有し、このバネ接点１２０と前記固定接片１１４との間にオスタブ７４が挾圧保持されるようにしたものである。
【０００６】
【発明が解決しようとする課題】
しかしながら、図６（ａ）に示されるメス側導体端子７０によれば、相手側のオス端子のオスタブ７４をオスタブ挿入口７６より嵌合筒７２内に挿入する際にメス端子バネ片７８のバネ支持部８０が嵌合筒７２の内壁面に当接されていることでメス端子バネ片７８の逃げが抑えられているから、バネ接点７８と対向接点８４とでオスタブ７４を挾着する挾着圧力が高くなり、オスタブの挿入に大きな力（挿入力）を要するため挿入作業がやり難いという問題がある。
【０００７】
また図６（ｂ）、（ｃ）に示されるメス側導体端子９０、１００は、オスタブ７４の挿入によりバネ片９４あるいは１０４のバネ接点９６、１０６部分が比較的自由に対向接点９８、１０８から離間できるためオスタブの挿入にそれ程大きな力は必要としないが、オスタブ７４をバネ片９４、１０４のバネ性のみで挾着するものであるから、オスタブの保持状態においてその挾着保持力が弱いという問題がある。
【０００８】
一方、図７に示したメス側導体端子１１０も図６（ａ）に示したものと同様にバネ片１１６のバネ支持部１１８が嵌合筒１１２の内壁面に当接されてそのバネ支持部１１８を支点とするバネ片１１６の弾発力によりオスタブ７４を挾圧保持するものであるから、やはりオスタブの挿入時に比較的大きな挿入力を要するという問題があった。
【０００９】
本発明の解決しようとする課題は、オス側導体の挿入時にはバネ接点におけるオス側導体との接触荷重が低減されて低い挿入力でそのオス側導体を挿入することができ、またオス側導体の挿入後には高い接触荷重によりそのオス側導体をバネ片により挾着保持することができる低挿入力メス側導体端子を提供することにある。
【００１０】
【課題を解決するための手段】
この課題を解決するために本発明の低挿入力メス側導体端子は、請求項１に記載のように、一開口端にオス側導体の挿入口を有する嵌合筒体内にそのオス側導体挿入口より挿入されるオス側導体を挾圧保持するメス端子バネ片が前記オス側導体挿入口側より嵌合筒体内の奥行き方向に延びて折り返し状に湾曲されて設けられたものであって、該メス端子バネ片の途中部位に前記嵌合筒体の内壁面に当接されるバネ支持部を有すると共に、先端寄り部位に前記オス側導体挿入口より挿入されるオス側導体に当接されるバネ接点を備え、前記嵌合筒体の内壁面にはそのオス側導体の挿入に伴って生じるバネ接点での動摩擦力により移動される前記バネ支持部の移動部位に該バネ支持部の移動方向に漸次外方へ広がるテーパ状のバネ支持ガイド面が該嵌合筒体の筒壁を切り起こして形成されたテーパ状ガイド板面に設けられたことを要旨とするものである。
【００１１】
上記構成を有する本発明の低挿入力メス側導体端子によれば、オス側導体がオス側導体挿入口へ挿入され、嵌合筒体内に装着されるメス端子バネ片のバネ接点に当接されると、そのバネ接点においてオス側導体との間に動摩擦力が生じ、メス端子バネ片のバネ支持部が嵌合筒体の内壁面に沿って後方へ移動しテーパ状のバネ支持ガイド面に沿って外方向へ移動させられるためバネ接点におけるオス側導体との接触荷重が低減され、その分低い挿入力でオス側導体が挿入される。
【００１２】
そしてオス側導体の挿入完了によりバネ接点に働いていた動摩擦力がなくなると、メス端子バネ片の自らのバネ復元力によりバネ支持部が正規の位置まで戻り、オス側導体はバネ接点において充分な接触荷重で挾圧保持されるものである。
【００１３】
このように、オス側導体が嵌合筒体内へ挿入される時に生じるバネ接点における動摩擦力によってバネ支持部が後方へ移動されるときにそのバネ支持部位はその湾曲形状に形成されたテーパ状ガイド板面に沿って滑らかに外方向へ移動されるためバネ接点でのオス側導体との接触荷重の滑らかな低減によりオス端子がスムーズに挿入されることになる。
【００１４】
またこの場合に請求項２に記載のように、前記嵌合筒体内に前記メス端子バネ片の変形復帰を助ける補助バネ片を設けるようにすれば、オス端子の嵌合筒体内への挿入完了によりメス端子バネ片に働いていた動摩擦力がなくなった時にメス端子バネ片は補助バネ片のバネ作用の助けにより速やかに正規の位置へ復帰されることとなる。
【００１５】
そして又この場合に請求項３に記載のように、前記補助バネ片が前記嵌合筒体の筒壁を切り起こし形成したものであれば、このメス端子のプレス加工による製作工程で簡単に作製出来るし、部品点数の増加も回避できることとなる。
【００１６】
【発明の実施の形態】
以下に本発明の好適な実施の形態を図面を参照して詳細に説明する。
図１は、第１の実施形態に係るメス側導体端子の外観図、図２はその要部の断面を拡大して示したものである。このメス側導体端子１０は導電性材料である耐熱銅合金材料により一体的に形成されたものであり、この材料の板材をプレス成形により角筒状に形成された嵌合筒部１２の一端開口部に相手側オス型端子のオスタブ１４が挿入されるオス端子挿入口１６が設けられると共に、該嵌合筒部１２の他端側には電線接続部１８が延設されている。
【００１７】
この電線接続部１８の構成については、本発明の要部ではないので簡単に説明するが、断面凹形状のベース枠２０の左右両側壁２２Ｒ、２２Ｌに各対からなる圧接刃２４Ｒ、２４Ｌ及び２６Ｒ、２６Ｌが内向きに形成され、これらの圧接刃２４Ｒ、２４Ｌ及び２６Ｒ、２６Ｌ間に電線Ｗを挿着することによりこの電線Ｗの被覆材２８が切り剥がされ、中の芯線３０、３０・・・が各対の圧接刃２４Ｒ、２４Ｌ及び２６Ｒ、２６Ｌ間に導体接続されるものである。また、電線接続部１８の左右両側壁２２Ｒ、２２Ｌの後端上縁に設けられるインシュレーションバレル３２Ｒ、３２Ｌにより電線Ｗは堅固に締め付け固定されている。
【００１８】
そして前記嵌合筒部１２内には、図２に示されるように、前記オス端子挿入口１６より挿入されるオスタブ１４を挾圧保持する湾曲状のメス端子バネ片３４が設けられている。このメス端子バネ片３４は、上記した合金板材のプレス成形によりメス型コネクタ端子１０を加工製作する際に一体的に成形されたものである。
【００１９】
そのプレス用の合金板材の展開図を示すことは省略するが、このメス端子バネ片３４は、一端が前記オス端子挿入口１６の開口端縁と面一であって、前記嵌合筒部１２の上壁板２６に重ね合わされたバネ基板３８が該嵌合筒部１２内の奥行方向に延びて下向きの折り返し状に湾曲され、その折り返し片４２の途中部位に前記嵌合筒部１２の下壁板４４に当接されるバネ支持部４６を有すると共に、その折り返し片４２の先端寄り部位が内向き山形状に屈曲されてその頂部にバネ接点４８が設けられている。
【００２０】
そしてこのバネ接点４８と向かい合せとなるように前記バネ基板３８の途中部位に内向きくびれ状に形成された対向接点５０が設けられ、バネ接点４８と対向接点５０とでオス端子挿入口１６より嵌合筒部１２内に挿入されるオス端子のオスタブ１４が挾圧保持されるように構成されている。
【００２１】
そして前記メス端子バネ片３４のバネ支持部４６が当接される嵌合筒部１２の下壁板４４には前記バネ接点４８と対向接点５０との間にオスタブ１４が挿入されることによりバネ接点４８がバネ支持部４６を中心に押し下げられてバネ接点４８と対向接点５０との間のギャップ（「タブギャップ」と称する）が大きくなり、またそのバネ接点４８と対向接点５０との間にオスタブ１４が挿入されるときにバネ接点４８とオスタブ１４との間に生じる動摩擦力により前記メス端子バネ片３４の湾曲形状が変化し、バネ支持部４６の位置が嵌合筒部１２の下壁板４４面に沿って移動される部位がそのバネ支持部４６の移動される嵌合筒部１２の奥行方向に向かって漸次外方へ広がるようにテーパ状ガイド板５２が切り起こし形成されている。
【００２２】
このように構成されたメス型コネクタ端子１０にオス端子のオスタブ１４を挿入していくときのメス端子バネ片２４の変形動作を図３に示して順に説明していくと、初めに図３（ａ）に示したオスタブ挿入前においては、メス端子バネ片３４のバネ支持部４６は正規位置にあって、バネ接点４８と対向接点５０との間のタブギャップ（ＧＦ）はオスタブ１４の幅寸法（ＧＭ）よりも小さい（ＧＦ＜ＧＭ）状態にある。
【００２３】
しかし、図３（ｂ）に示されるように、オスタブ１４をオス端子挿入口１６より嵌合筒部１２内に挿入し、オスタブ１４がメス端子バネ片３４のバネ接点４８と対向接点５０との間に差し込まれたとき、バネ接点４８がオスタブ１４により押し下げられると同時にバネ接点４８にオスタブ１４との接触による動摩擦力が働くためにメス端子バネ片３４が後方に押され、バネ支持部４６がテーパ状ガイド板５２のテーパ面に沿って図３（ｂ）中Ａ点まで移動し、この時バネ支持部４６の変位量は同図（ｂ）に示されるように、正規位置にある時よりもΔＡだけ少なく、したがってバネ接点４８におけるオスタブ１４との接触荷重もその分低くなり、その分オス端子のオスタブ１４の挿入力も少なくて済み、小さな挿入力でオスタブ１４を嵌合筒部１２内に挿入することができることとなる。
【００２４】
図４は、図３（ｂ）に示されるバネ支持部４６の変位量（ΔＡ）とバネ接点４８におけるオスタブ１４との接触荷重との相関性を図示したものである。横軸にバネ支持部４６の変位量（ΔＡ）を採り、縦軸にバネ接点４８の接触荷重を採っている。
【００２５】
この図４に示されるように、バネ支持部４６が正規位置にある時の接触荷重に対してバネ支持部４６が正規位置からΔＡだけ変位した時にはバネ接点４８における接触荷重が小さくなることがわかる。
【００２６】
こうしてオスタブ１４の嵌合筒部１２内への挿入が完了した時点では、バネ接点４８におけるオスタブ１４との動摩擦力がなくなり、そのために図３（ｃ）に示されるように、メス端子バネ片３４の復元力によってバネ支持部４６が正規の位置まで戻って来てバネ接点４８に必要な接触荷重が発生してオスタブ１４が充分な挾圧力により接触保持されることとなる。
【００２７】
このようにこの実施形態のメス側導体端子１０によれば、オス端子のオスタブの挿入時にはバネ接点４８に働く動摩擦力によりバネ支持部４６が変位移動し低い挿入力でオス端子の挿着ができ、オス端子のオスタブの挿入が完了した時点ではバネ接点４８での動摩擦力がなくなってメス端子バネ片３４そのものの復元力によりバネ支持部４６が元の位置に戻り、バネ接点４８に充分な接触荷重が働いてオス端子のオスタブ１４は堅固に挾圧保持されるものである。
【００２８】
図５（ａ）（ｂ）は、第２の実施形態に係るメス側導体端子を示したものである。図５（ａ）に示したメス型コネクタ端子６０ａは、嵌合筒部１２の下壁板４４の一部を切り起こし、その先端部分をメス端子バネ片３４の湾曲部に当接させた補助バネ片６２ａを設けたものである。他の構成要素は第１の実施形態の場合と同じである。
【００２９】
そしてこのメス型コネクタ端子６０ａによれば、オス端子のオスタブ１４がオス端子挿入口１６より嵌合筒部１２内に挿入された時にはバネ支持部４６のテーパ状ガイド板５２面の移動により低い挿入力でそのオスタブ１４を挿入でき、オスタブ１４の挿入が完了した時点ではメス端子バネ片３４のバネ復元力によりバネ支持部４６の正規位置への復帰によりオスタブ１４はバネ接点４８を介して挾圧保持されるものであるが、そのオスタブ１４の挿入完了の時点において補助バネ片６２ａがメス端子バネ片３４の湾曲部を押すことによりメス端子バネ片の復元力を後押しすることによりその復帰が助けられ、メス端子バネ片３４のバネ支持部４６が速やかに正規位置に戻されると同時にオスタブ１４は補助バネ片６２ａの押圧荷重も加勢することによってより強い接触荷重でオスタブ１４を挾圧保持できることになる。
【００３０】
また図５（ｂ）に示したメス型コネクタ端子６２ｂは、図５（ａ）の場合と違って嵌合筒部１２の上壁板３６の一部を切り起こして補助バネ片６２ｂを形成し、その補助バネ片６２ｂの先端部分をメス端子バネ片３４の湾曲部に当接させたものである。そしてこのメス型コネクタ端子６２ｂの場合も、オス端子のオスタブ１４がオス端子挿入口１６より嵌合筒部１２内に挿入された時にはバネ支持部４６のテーパ状ガイド板５２面の移動により低い挿入力でそのオスタブ１４を挿入でき、オスタブ１４の挿入が完了した時点ではメス端子バネ片３４のバネ復元力によりバネ支持部４６の正規位置への復帰によりオスタブ１４はバネ接点４８を介して挾圧保持されるものであって、そのオスタブ１４の挿入完了の時点において補助バネ片６２ｂがメス端子バネ片３４の湾曲部を押すことによりやはりメス端子バネ片３４の復帰が助けられ、メス端子バネ片３４のバネ支持部４６が速やかに正規位置に戻されると同時にオスタブ１４は補助バネ片６２ｂの押圧荷重も加勢することによってより強い接触荷重でオスタブ１４を挾圧保持できるものである。
【００３１】
本発明は上記した実施の形態に何ら限定されるものではなく、本発明の趣旨を逸脱しない範囲で種々の改変が可能である。例えば、上記実施の形態においては圧接刃による接続構造のものを示したが、これに限らず、ピアシング端子のようにピアシングバレルを電線の被覆材に突き刺して導体接続する構造のものにも適用できる。また、電線も同軸ケーブルに限らず、フラット型電線などにも適用できるものである。
【００３２】
そして嵌合筒部内のメス端子バネ片の湾曲形状やバネ支点、バネ接点の位置、あるいはバネ接点との対向接点の有無等については特にこだわるものではなく、各種の設計変更が可能であることは言うまでもないことである。
【００３３】
【発明の効果】
本発明の請求項１に記載のメス側導体端子によれば、オス側導体の挿入時にはバネ接点に動摩擦力が働いてもバネ支持部の変位移動により低い挿入力でオス側導体の挿着ができ、オス側導体のオスタブの挿入完了の時点ではメス端子バネそのものの復元力により充分な接触荷重が得られオス側導体は堅固に挾圧保持されるという効果を奏する。
【００３４】
また、メス端子バネ片のバネ支点を変位移動させるテーパガイド板が嵌合筒部の筒壁板を切り起こして形成されるようにすれば、新たな材料の追加も要らないし、板材のプレス切断・曲げ加工等により簡単に組み立てできて製作コストの増加がないという利点もある。
【００３５】
さらに請求項２、３に記載のように、メス端子バネ片の復元力を助ける補助バネ片を設けたものではオス端子挿入完了時点でのメス端子バネ片の速やかな復元が果たされるのみならず、このメス端子バネ片によるオス端子の挾着保持力が増すことにもなり、また、この補助バネ片を嵌合筒部の筒壁板を切り起こして形成すれば、やはり新たな材料コストも掛からず、製作コストの抑制にもなるという利点もある。
【図面の簡単な説明】
【図１】本発明の第１の実施形態に係る低挿入力メス側導体端子の外観斜視図である。
【図２】図１に示したメス側導体端子の要部の拡大断面図である。
【図３】図１及び図２に示したメス側導体端子に相手側オス端子のオスタブを挿入していく過程におけるメス端子バネ片の動きを示した図である。
【図４】図１及び図２に示したメス側導体端子に相手側オス端子のオスタブを挿入していったときのメス端子バネ片のバネ支点の変位量（ΔＡ）とバネ接点におけるオスタブとの接触荷重との相関性を示した図である。
【図５】（ａ）（ｂ）はそれぞれ第２の実施形態に係るメス側導体端子の変形例を示した断面図である。
【図６】（ａ）（ｂ）（ｃ）は、それぞれ従来技術として一般的に知られているメス側導体端子の例を示した図である。
【図７】さらに従来技術としてのメス側導体端子の追加例を示した図である。
【符号の説明】
１０  メス型コネクタ端子
１２  嵌合筒部（嵌合筒体）
１４  オスタブ
１６  オス端子挿入口
３４  メス端子バネ片
４６  バネ支持部
４８  バネ接点
５２  テーパ状ガイド板
６０ａ、６０ｂ  メス型コネクタ端子
６２ａ、６２ｂ  補助バネ片
【図１】
0003874346.tif 000002
【図２】
0003874346.tif 000003
【図３】
0003874346.tif 000004
【図４】
0003874346.tif 000005
【図５】
0003874346.tif 000006
【図６】
0003874346.tif 000007
【図７】
0003874346.tif 000008